(57)【特許請求の範囲】
【請求項１】
垂直部材１１，１２と横断部材１３を有する略Ｕ字状のフレーム１と、該フレーム１に取り付けられた印刷シート２とを含むスポーツ及び同種のイベント用の広告支持体において、前記フレーム１は、直径１０〜２０ｍｍの丸い断面を有するソリッドコア１４と、該ソリッドコアを被覆する外径１５〜４０ｍｍの管状スリーブ１５とを含み、前記ソリッドコアは、ベークライト３０％〜５０％、メラミン樹脂１５％〜２５％、ポリブタジエン１５％〜２５％、エポキシ樹脂７％〜１３％、ポリエステル７％〜１３％を含み、前記管状スリーブ１５は、天然ラテックス２５％〜３５％、ネオプレン２５％〜３５％、ポリブタジエン３０％〜５０％を含むことを特徴とする広告支持体。
【請求項２】
請求項１において、前記フレームの垂直部材１１，１２の自由端は、管状のポリ塩化ビニル製端部１６に囲まれていることを特徴とする広告支持体。
【請求項３】
請求項１又は請求項２の広告支持体に、さらに固定ベース３１，３３を備え、各固定ベースは、前記フレームの垂直部材の自由端を受けるのに適する空洞部３０を定める管状部材３２，３４を備えたことを特徴とする広告支持体 。
【請求項４】
請求項３において、前記フレームが前記固定ベース３１，３３から取り外された際に、前記固定ベースの管状部材３２，３４のそれぞれにキャップを取り付けかつ装飾トリムを備えたことを特徴とする広告支持体。
【請求項５】
請求項３又は請求項４において、前記管状部材３２が地中に挿入するのに適したピック状に形成され、前記広告支持体が使用されないときには取り外すのに適したことを特徴とする広告支持体。
【請求項６】
請求項４又は請求項５において、前記管状部材３４が地中に永続的に配置されるためにプレート３５に固定されることを特徴とする広告支持体。
【請求項７】
請求項５又は請求項６において、前記管状部材が地面の支持基材に固定され、該支持基材は前記広告支持体を安定させるために適する錘を伴うことを特徴とする広告支持体。
【請求項８】
請求項１〜請求項７のいずれかにおいて、前記印刷シート２は、前記フレームへの取付手段を伴った穴あき織物又はメッシュを備えたことを特徴とする広告支持体。
【請求項９】
請求項８において、前記印刷シート２は２層から構成され、前記フレーム１の両垂直部材１１，１２と横断部材１３とに適合する少なくとも三方の側で相互に連結されて、前記フレーム１が前記２層の間に配置されることを特徴とする広告支持体。
【発明の詳細な説明】
【技術分野】
【０００１】
本発明は、スポーツ及び同種のイベント用の広告支持体に関するもので、例えばサッカーの競技場等に設置されるように設計され、略Ｕ字状のフレームと該フレームに固定される広告プリントシートから構成されるものである。
また、その支持体の製造方法に関するものである。
【背景技術】
【０００２】
広告支持体はサッカーの競技場等においてゴールポストの両サイドに設置されることが知られている。広告は、ゴールポスト付近で競技が行われるときに観衆の目に見えるもので、かつ、テレビカメラによって捉えられるものである。
【０００３】
これらの広告支持体は、少なくとも一定の柔軟性を備え、競技者が前記支持体に衝突した際の衝撃を避け、さらに、観客や写真家やテレビカメラ等の視界を遮ることなくロゴや広告メッセージを備えるものである。
【０００４】
前記支持体に衝突した場合の損傷を避けるために、例えばスペイン特許ＥＳ１０６３６０７Ｕのように、ゴムのような柔軟素材の中に完全な支持体を設けることが提案されている。他の解決法としては、例えばＷＯ２００９／１３８５４３のように、支持体に倒壊性を備えて、支柱フレームの基礎のスプリングに連結させることが知られている。
【先行技術文献】
【特許文献】
【０００５】
【特許文献１】スペイン特許  ＥＳ１０６３６０７Ｕ
【特許文献２】ＷＯ２００９／１３８５４３
【発明の概要】
【発明が解決しようとする課題】
【０００６】
これらの解決法により多くの場合には満足する結果が得られるが、既にいくらかの障害が実践上生じており、これにより既知の支持体は広告効果を損なわれるか減じられてしまう可能性がある。例えば、既知の支持体は、相対的に強い風が吹いたときに傾いたり、高温下や一定の圧力がかかった場合においてフレームが変形する可能性がある。
本発明は広告支持体を提案するもので、先述の欠点を少なくとも部分的に解決するものである。
【課題を解決するための手段】
【０００７】  本発明によるスポーツ及び同種のイベント用の広告支持体は、２つの垂直材及び横断部材を有する略Ｕ字状のフレームに加えて、該フレームに固定された印刷されたシートを備え、前記フレームは直径１０〜２０ｍｍの硬いコア部材と該コア部材を被覆する外径１５〜４０ｍｍ管状のスリーブを備え、前記硬いコア部材は、ベークライト３０％〜５０％、メラミン樹脂１５％〜２５％、ポリブタジエン１５％〜２５％、エポキシ樹脂７％〜１３％、ポリエステル７％〜１３％を含み、前記管状スリーブは、天然ラテックス２５％〜３５％、ネオプレン２５％〜３５％、ポリブタジエン３０％〜５０％を含むことを特徴とする。 【０００８】
この構造は、全体としてフレーム及び広告支持体に非常に適した特性を提供する。一方で、この構造は支持体の風や高温に起因する傾きや曲がり、あるいは、衝突が生じた場合に変形することから回避すると同時に、競技者及び他の人々にとっては前記支持体に彼らが衝突した場合の傷害による苦しみを避けうる。また、前記支持体はボールが衝突した場合の衝撃を緩衝することで、ボールがピッチに向かって跳ねるリスクを軽減する。
【０００９】
好ましくは、前記フレームは主要な成分としてベークライトを有する可塑性材料で構成されるもので、さらに好ましくは、メラミン樹脂、エポキシ樹脂、ポリブタジエン、ポリエステルを効果的に含むものである。
先述の被覆スリーブは、好ましくは天然ゴム、ネオプレン、ポリブタジエンにより構成される。
【００１０】
本発明の実施例においては、フレームの垂直材の自由端は、管状のポリ塩化ビニル（ＰＶＣ）端によって囲まれている。
【００１１】
いくつかの実施例によれば、前記支持体は、さらに２つの固定基材を備え、それぞれの固定基材は前記フレームの垂直部材の自由端を受けるのに適する中空部を規定する管状部を備える。前記支持体が前記固定基材から取り外された際には、それぞれの管状部には、キャップを取り付けることが可能であり、さらに任意に装飾トリムを取り付けてもよい。
【００１２】
ある実施例において、支持基材の管状部は地面にピックのように挿入するのに適合するように形成され、かつ、広告支持体が使用されない際に取り外すのに適合するように形成される。
【００１３】
代替的に、地面へ常に設置するために前記管状部材をプレートに固定してもよい。
また、さらに代替的には、前記管状部材を、地面上の支持基材に前記広告支持体が安定的になるよう適切な錘と共に装着されるように固定してもよい。
【００１４】
好ましくは、印刷されたシートは穴のあいた織物かメッシュを含むもので、フレームに固定する手段を備えたものである。
ある実施例において、印刷されたシートは２層から構成され、２層の間に位置付けられたフレームにより、フレームの両垂直部材と横断部材とに適合する少なくとも三方の側で相互に連結される。
【００１５】
本発明の実施形態では、前記フレームのコアは１０〜２０ｍｍの直径を有する丸みを帯びた断面を有しており、前記フレームの管状スリーブはその外側で１５〜４０ｍｍの直径を有する。
【００１６】
フレームには、任意のタイプの広告を掲載することが可能であり、印刷、スクリーン印刷、エンボス、塗装、あるいは任意の他の方式又は様式とすることが可能である。
【００１７】
他の解釈としては、本発明は、次の工程を含むことを特徴とする、広告支持体の製造方法に関する。すなわち：
−穴のあいた織物またはメッシュを提供する工程と、
−織物又はメッシュにローラープリントを施す工程と、
− 柔軟性が高く、高強度の材料を得るために、少なくとも１００℃の温度のオーブン中で硬化させる工程と、
−織物やメッシュ上に任意の広告モチーフを印刷又は描く工程とを含む。
これらの工程により、シートに高い耐久性を与えると共に高い柔軟性を付与することが可能となる。
【図面の簡単な説明】
【００１８】
本発明の実施の形態は、添付した図面を参照しながら次に示す。図面は実施例を非限定的に示したもので、本発明の理解の助けとなるものである。
【図１】サッカーの競技場に配置された本発明の特定の実施例に係る広告支持体の立面図
【図２】図１の広告支持体の骨組又はフレームの一部切欠正面図
【図３】図２の線Ａ−Ａにおけるフレームの断面図。
【図４】図２の線Ｂ−Ｂにおけるフレームの断面図
【図５】図５ａ及び図５ｂは、支持体を取り付ける固定ベースの２つの実施例
【発明を実施するための形態】
【実施例】
【００１９】
図１から図４は本発明の実施例における広告支持体を示す。図に示されるように、支持体は、フレーム１と、穴をあけられた織物又はメッシュによるシート２を備え、該シートには広告が印刷されて、フレーム１に取り付けられる。さらに、ベース３が前記支持体をサッカーの競技場又は他の地面に固定するために設けられる。
【００２０】
前記支持体の寸法は異なるものであってもよく、適合的な支持体、例えば、約１２０×７０ｃｍとしてもよい。
【００２１】
本発明の実施例におけるフレーム１の構造は、図２〜図４に示される。フレームは、２つの垂直材１１，１２と横断部材１３とを備えて略Ｕ字状に構成すると共に、管状スリーブ又はカバー１５に覆われた硬いソリッドコア１４を備える。（図３の断面を参照）
【００２２】
前記フレーム１のコア１４は、メラミン樹脂、エポキシ樹脂、ポリエステル、ポリブタジエンおよびベークライトを含むプラスチック材料により構成される。これらのプラスチック材料のうち、後者の成分が主なものである。この組成により、一定の衝撃に耐えるのに適した耐久性が付与される。前記コアは、一般的な型成形され、単一部材で製造される。型から取り外された後に研磨処理をし、表面上に残った不純物を除去するすることが可能である。
【００２３】
コアの材料は、前記支持体のフレームが衝撃や他の圧力を受けた際に、恒久的に変形することなく元の形態にすみやかに戻るのに適したものである。
【００２４】
フレームのコアに適切な機械的特性と柔軟性と恒久的変形に対する耐久性とを同時に提供する組成範囲は、例えば、次の通りである。：
ベークライト  ３０％〜５０％
メラミン樹脂  １５％〜２５％
ポリブタジエン  １５％〜２５％
エポキシ樹脂  ７％〜１３％
ポリエステル７％〜１３％
これらの材料の比率は、その測定値、幾何学的形態、地面に固定する方法に関わらず、本発明によるフレームの任意の構成に適用可能である。
【００２５】
スリーブ１５は、その部分としては、前記支持体が受けうる衝撃の緩衝のために非常に適切な弾力性を与える天然ゴム、ネオプレンとポリブタジエンの混合物から作ることが可能である。このようにすることで、競技者又は他の人々が前記支持体に衝突した際の怪我のリスクを最小限に抑えて、かつ、前記支持体に衝突した際にボールが跳ね返って競技場に戻ってしまうことを妨げる。
【００２６】
ある実施例において、フレームの任意の構成に適用可能であるが、スリーブ１５の組成は、次のようにすることができる。：
天然ラテックス  ２５％〜３５％
ネオプレン  ２５％〜３５％
ポリブタジエン  ３０％〜５０％
前記スリーブは、手動又は適切な工具を使用することで、コア上をスライドする。
【００２７】
フレーム１の構造は、内側のコア１４および外側のスリーブ１５に異なる材料及び特性を備えることで、あらゆる種類の衝撃への耐久性を提供する。これにより、風や衝撃によるあらゆる変形を回避し、その広告機能を確実に満たすことを保証する。また同時に、柔軟性を提供することで、試合にとっての危険や妨げとはならない。
【００２８】
ソリッドコアは、１０〜２０ｍｍの直径を有してもよく、例えば１５ｍｍ程度とする。管状スリーブは、前記コアの直径と同一又はわずかに大きい内径を有するとよい。このようにすることで、管状スリーブはソリッドコアに馴染むよう挿入され、外径１５〜４０ｍｍとすることができ、例えば２５ｍｍ程度である。
【００２９】
垂直部材１１，１２の自由端の隣接領域において、硬質の管状端部１６が連結され、  ゴムスリーブ（図２及び図４の対応箇所参照）を囲んでいる。これらの管状端部１６はポリ塩化ビニルで作ることが可能であり、垂直部材に対してねじ止め、リベット、接着等により固定されることが可能である。
【００３０】
端部１６があることにより、スリーブ１５が前記コアから滑ったり外れたりすることなく、また、固定場所において摩擦や摩耗などからスリーブが保護される。さらに、支持体が使用位置に配置される際には、前記端部１６は、その大部分、好ましくは全体が隠される。
【００３１】
フレーム１には、印刷されたシート２を用いてあらゆる形式の広告の掲載が許容されるもので、印刷、スクリーン印刷、エンボス加工、塗装又は任意の他の方式または様式が許容される。
【００３２】
このようにして、所望の広告モチーフを伴ったシート２は、概して前記端部１６と上方は前記横断部材１３によってフレームに取り付けられる。前記シートの基材は、綿やナイロン布としてもよく、プレス処理をかけて複数の穴で満たし、空気を通過させる穴のあいた織物又はメッシュを形成してもよい。
【００３３】
実施例において、印刷シートの製造は、次の段階を含んでもよい。：
−メッシュ又は穴のあいた織物を作業フレームでテンション下に置いて作業可能にする工程と、
−非常に厚い特殊塗料によりローラーを使用してそこに下塗りを施す工程と、
−少なくとも１００℃の温度でベルトでオーブン中に前記メッシュ又は穴あき織物を導入し、弾性と耐久性のあるメッシュを得るまで１回あたり約１０分オーブンに通す処理を数回行う工程と、
−極端な温度に適応する耐久性の高いアクリル塗料、例えばレーザーカットされたメタクリル樹脂テンプレートを使用して、メッシュや穴のあいた織布にロゴマークや広告メッセージを塗装し、２つの層を前記フレームの垂直部材１１，１２と横断部材１３との三側面に適合する形状で結合させる工程とを含む。
【００３４】
この２層のシートは前記フレームに取り付けられ、横断部材１３と垂直部材１１と１２の全長の長い部分が、前記シートの２層間に配置される。この取付及び配置は任意の方法によることができ、例えば、縫製、接着等である。
【００３５】
広告支持体が見られるのに安定した位置に配置するために、サッカーの試合又は任意の他のスポーツ又は同種のイベントの間、異なるタイプの固定ベース３が地面上又は地面中に設けられる。固定ベースの例は、図５ａ及び５ｂに図示される。
【００３６】
図５ａは管状部３２と固定ベース３１を示すもので、該固定ベース３１は適合する端部１６を伴い、その内側で前記フレーム１の垂直部材１１，１２の一方の自由端を受けるのに適した空洞３０を規定する。
【００３７】
図示されるように、本実施例において、前記ベース３１は、ピックと同様の構成を有し、地面、例えばサッカーの競技場に挿入されるのに適しており、地面に挿入された際に土で満たされないようにその下部は閉鎖されている。また、前記ベース３１は、試合の終了時に前記支持体がピッチから除去される際に、除去することができる。
【００３８】
図５ｂは、代替的な実施例として固定ベース３３を示すものである。前記固定ベース３３は、管状部材３４とプレート３５を備え、前記管状部材３４は前記フレーム１の垂直部材１１，１２の一方の自由端を受けるのに適した空洞３０を有し、前記プレート３５は溶接又は他の方法により管状部材３４に固定され、かつ、排水口を備える。
【００３９】
前記管状部材３４と前記プレートの間には、ロッド又はカルトゥシュ３７、あるいは他の補強部材を設けてもよい。管状部材は、ポリ塩化ビニル製でも鋼製でもどちらであってもよく、あるいは他の材料製であってもよい。
【００４０】
これらの固定ベース３３は、永続的に地面に置かれることが可能なように設計される。複数のボックスが地面で用意されて、ベース３３がそれぞれのボックスに配置されると、上縁までに芝の位置から約５ｃｍ程度下がるので、コンクリート製の箱で充填される。その後、コンクリートは再び芝を張るための土の層で覆われる。
【００４１】
広告支持体に使用できる他の形態の固定ベースは、図示しないベースが単純に地面に置かれるよう設計されたものである。この種の固定ベースもまた広告支持体の垂直部材を収めるための空洞を備えるものであるが、それらはサイズはあまり大きくないがかなりの重量の本体又はブロックを含むもので、例えば約２０ｋｇであり、前記支持体が衝撃を受けた際に動いてしまうのを回避するものである。
これらのベースにより、支持体を陸上競技トラックや同種競技場などの硬質表面に配置することができる。
【００４２】
図５ａ及び５ｂに示されるように、広告支持体が取り外された際に前記固定ベースが水や泥等で満たされないように、前記固定ベースにキャップ４を取り付けることが可能であり、選択的に装飾用のトリム５を備えてもよい。該トリムは、例えば適切な色の人工芝を備えて、キャップ４が取り付けられた際に固定ベースを容易に見つけられるようにしてもよい。
【００４３】
前記ベースが固定される場合でも、除去される場合でも、広告支持体を伴って配置される場合であっても、特定の場所又はグラウンド形態の場所であって広告支持体の配置が望まれる場に、記載された１つの固定ベース又は他の固定ベースを用いることが可能である。
【００４４】
本発明について特定の実施例を説明したものであるが、当業者は、添付の特許請求の範囲によって定義付けられる保護の範囲から逸脱することなく、それぞれの場合の要件に応じて装置の細部の要素を修正することができる。特に、本発明は、本明細書に示された特定及び好適実施例のすべての可能な組合せを含むものである。
【図１】
0005877568.tif 000002
【図２】
0005877568.tif 000003
【図３】
0005877568.tif 000004
【図４】
0005877568.tif 000005
【図５】
0005877568.tif 000006